(57)【要約】【課題】滑らかに動画を再生する画像処理装置を提供する。【解決手段】画像処理装置１は、所定のフレーム間隔を有する複数のフレームごとに取得された画像群を、取得順に所定の再生フレーム間隔で順次再生表示させる。画像群は、少なくともフレーム間隔よりも短い第１露光時間で取得され、前後に隣り合う第１フレームおよび第２フレームでそれぞれ取得された第１画像および第２画像を含む。画像処理装置１は、第１画像および第２画像を、再生フレーム内の少なくとも一部で重ね合わせて再生フレーム画像信号を生成する第１表示制御手段１４を備える。【選択図】図１
2010258851.tif 000002
【特許請求の範囲】
【請求項１】
所定のフレーム間隔を有する複数のフレームごとに取得された画像群を、前記取得順に所定の再生フレーム間隔で順次再生表示させる画像処理装置において、
前記画像群は、少なくとも前記フレーム間隔よりも短い第１露光時間で取得され、前後に隣り合う第１フレームおよび第２フレームでそれぞれ取得された第１画像および第２画像を含み、
前記第１画像および前記第２画像を、前記再生フレーム内の少なくとも一部で重ね合わせて再生フレーム画像信号を生成する第１表示制御手段を備えることを特徴とする画像処理装置。
【請求項２】
請求項１に記載の画像処理装置において、
前記第１表示制御手段は、前記第１フレームおよび前記第２フレームでそれぞれ取得された前記第１画像および前記第２画像を、前記再生フレーム内の前記第１露光時間を除く範囲で重ね合わせて前記再生フレーム画像信号を生成することを特徴とする画像処理装置。
【請求項３】
請求項１に記載の画像処理装置において、
前記第１表示制御手段は、前記第１フレームおよび前記第２フレームでそれぞれ取得された前記第１画像および前記第２画像を、前記再生フレーム内の略全域で重ね合わせて前記再生フレーム画像信号を生成することを特徴とする画像処理装置。
【請求項４】
請求項１に記載の画像処理装置において、
前記第１表示制御手段は、前記第１フレームおよび前記第２フレームでそれぞれ取得された前記第１画像および前記第２画像を、前記再生フレーム内の所定範囲で重ね合わせて前記再生フレーム画像信号を生成することを特徴とする画像処理装置。
【請求項５】
請求項２〜４のいずれか一項に記載の画像処理装置において、
前記第１表示制御手段は、前記第１画像および前記第２画像を重ね合わせる区間において、前記第１画像の信号に対するゲインを低下させる一方、前記第２画像の信号に対するゲインを増加させることを特徴とする画像処理装置。
【請求項６】
請求項５に記載の画像処理装置において、
前記第１表示制御手段は、再生表示の停止が指示された場合、前記ゲインが高い方の画像の信号を選び、その画像を静止画表示させるための再生画像信号を生成することを特徴とする画像処理装置。
【請求項７】
請求項６に記載の画像処理装置において、
前記第１表示制御手段は、前記第１画像の信号および前記第２画像の信号に対するゲインが同じ場合は前記第２画像の信号を選び、静止画表示させるための再生画像信号を生成することを特徴とする画像処理装置。
【請求項８】
請求項１〜７のいずれか一項に記載の画像処理装置において、
前記画像群は、前記フレーム間隔に略等しい第２露光時間で取得され、前後に隣り合う第３フレームおよび第４フレームでそれぞれ取得された第３画像および第４画像を含み、
前記第３画像および前記第４画像を、取得順に前記フレーム間隔で順次切り替えるようにフレーム画像信号を生成する第２表示制御手段と、
切り替え指示に応じて、前記第１表示制御手段および前記第２表示制御手段のうち一方にフレーム画像信号を生成させる切り替え制御手段とを備えることを特徴とする画像処理装置。
【発明の詳細な説明】
【技術分野】
【０００１】
本発明は、画像処理装置に関する。
【背景技術】
【０００２】
動画向けの露光時間より短い露光時間で撮像された静止画用の画像を用いて、滑らかに再生するための動画用のフレーム画像を生成する技術が知られている（特許文献１参照）。上記技術では、時刻ｔ３０１および時刻ｔ３０５で撮像された２つの画像から同じ被写体を抽出した上で、時刻ｔ３０１および時刻ｔ３０５間の時刻ｔ３０３における上記被写体の画像上の位置を算出することにより、当該時刻ｔ３０３で撮像され得る予測画像が生成される。そして、時刻ｔ３０１および時刻ｔ３０５における２つの撮像画像と、時刻ｔ３０３における予測画像とを重ね合わせて１つのフレーム画像が生成される。
【先行技術文献】
【特許文献】
【０００３】
【特許文献１】特開２００６−２８７９２１号公報
【発明の概要】
【発明が解決しようとする課題】
【０００４】
従来技術では、実際に撮像されていない予測画像を重ね合わせるため、実際に移動する被写体と異なる予測位置に被写体像が生成されるという問題があった。
【課題を解決するための手段】
【０００５】
（１）本発明による画像処理装置は、所定のフレーム間隔を有する複数のフレームごとに取得された画像群を、取得順に所定の再生フレーム間隔で順次再生表示させる画像処理装置に適用される。そして、画像群は、少なくともフレーム間隔よりも短い第１露光時間で取得され、前後に隣り合う第１フレームおよび第２フレームでそれぞれ取得された第１画像および第２画像を含んでよく、第１画像および第２画像を、再生フレーム内の少なくとも一部で重ね合わせて再生フレーム画像信号を生成する第１表示制御手段を備えることを特徴とする。
（２）請求項１に記載の画像処理装置において、第１表示制御手段は、第１フレームおよび第２フレームでそれぞれ取得された第１画像および第２画像を、再生フレーム内の第１露光時間を除く範囲で重ね合わせて再生フレーム画像信号を生成することもできる。
（３）請求項１に記載の画像処理装置において、第１表示制御手段は、第１フレームおよび第２フレームでそれぞれ取得された第１画像および第２画像を、再生フレーム内の略全域で重ね合わせて再生フレーム画像信号を生成することもできる。
（４）請求項１に記載の画像処理装置において、第１表示制御手段は、第１フレームおよび第２フレームでそれぞれ取得された第１画像および第２画像を、再生フレーム内の所定範囲で重ね合わせて再生フレーム画像信号を生成することもできる。
（５）請求項２〜４のいずれか一項に記載の画像処理装置において、第１表示制御手段は、第１画像および第２画像を重ね合わせる区間において、第１画像の信号に対するゲインを低下させる一方、第２画像の信号に対するゲインを増加させることもできる。
（６）請求項５に記載の画像処理装置において、第１表示制御手段は、再生表示の停止が指示された場合、ゲインが高い方の画像の信号を選び、その画像を静止画表示させるための再生画像信号を生成することもできる。
（７）請求項６に記載の画像処理装置において、第１表示制御手段は、第１画像の信号および第２画像の信号に対するゲインが同じ場合は第２画像の信号を選び、静止画表示させるための再生画像信号を生成することもできる。
（８）請求項１〜７のいずれか一項に記載の画像処理装置において、画像群は、フレーム間隔に略等しい第２露光時間で取得され、前後に隣り合う第３フレームおよび第４フレームでそれぞれ取得された第３画像および第４画像を含んでもよい。この場合は、第３画像および第４画像を、取得順にフレーム間隔で順次切り替えるようにフレーム画像信号を生成する第２表示制御手段と、切り替え指示に応じて、第１表示制御手段および第２表示制御手段のうち一方にフレーム画像信号を生成させる切り替え制御手段とをさらに備えてもよい。
【発明の効果】
【０００６】
本発明による画像処理装置によれば、滑らかに動画再生できる。
【図面の簡単な説明】
【０００７】
【図１】本発明の一実施の形態による電子カメラのブロック図である。
【図２】高速連写画像を取得するタイミングを例示する図である。
【図３】高速連写画像を再生表示するタイミングを例示する図である。
【図４】表示画像作成回路の構成を例示する図である。
【図５】図３の再生タイミングの一部を拡大した図である。
【図６】変形例２において再生表示するタイミングを例示する図である。
【図７】変形例３において再生表示するタイミングを例示する図である。
【発明を実施するための形態】
【０００８】
以下、図面を参照して本発明を実施するための形態について説明する。図１は、本発明の一実施の形態による電子カメラ１の要部構成を説明するブロック図である。電子カメラ１は、メインＣＰＵ１１によって制御される。
【０００９】
撮影レンズ２１は、撮像素子２２の撮像面上に被写体像を結像させる。撮像素子２２はＣＣＤイメージセンサなどで構成され、撮像面上の被写体像を撮像し、撮像信号を撮像回路２３へ出力する。撮像素子２２の撮像面には、それぞれＲ（赤）、Ｇ（緑）およびＢ（青）のカラーフィルタが画素位置に対応するように設けられている。撮像素子２２がカラーフィルタを通して被写体像を撮像するため、撮像素子２２から出力される光電変換信号は、ＲＧＢ表色系の色情報を有する。なお、３ＣＣＤ／４ＣＣＤ等のいわゆる多版式の構成にしてもよい。
【００１０】
撮像回路２３は、撮像素子２２から出力される光電変換信号に対するアナログ処理（ゲインコントロールなど）を行う他、内蔵するＡ／Ｄ変換回路でアナログ撮像信号をディジタルデータに変換する。
【００１１】
メインＣＰＵ１１は、各ブロックから出力される信号を入力して所定の演算を行い、演算結果に基づく制御信号を各ブロックへ出力する。画像処理回路１２は、たとえばＡＳＩＣとして構成され、撮像回路２３から入力されるディジタル画像信号に対して画像処理を行う。画像処理には、たとえば、輪郭強調や色温度調整（ホワイトバランス調整）処理、画像信号に対するフォーマット変換処理が含まれる。
【００１２】
画像圧縮回路１３は、画像処理回路１２による処理後の画像信号に対して、たとえばJPEG方式で所定の圧縮比率の画像圧縮処理を行う。表示画像作成回路１４は、撮像画像を液晶モニタ１９に表示させるための表示用信号を生成する。
【００１３】
液晶モニタ１９は液晶パネルによって構成され、表示画像作成回路１４から入力される表示用信号に基づいて画像や操作メニュー画面などを表示する。映像出力回路２０は、表示画像作成回路１４から入力される表示用信号に基づいて、画像や操作メニュー画面などを外部の表示装置に表示させるための映像信号を生成して出力する。
【００１４】
バッファメモリ１５は、画像処理前後および画像処理途中のデータを一時的に格納する他、記録媒体３０へ記録する前の画像ファイルを格納したり、記録媒体３０から読み出した画像ファイルを格納したりするために使用される。
【００１５】
フラッシュメモリ１６は、メインＣＰＵ１１が実行するプログラムや、メインＣＰＵ１１が行う処理に必要なデータなどが格納される。フラッシュメモリ１６が格納するプログラムやデータの内容は、メインＣＰＵ１１からの指示によって追加、変更が可能に構成されている。
【００１６】
カードインターフェース(I/F)１７はコネクタ（不図示）を有し、該コネクタにメモリカードなどの記録媒体３０が接続される。カードインターフェース１７は、メインＣＰＵ１１からの指示により、接続された記録媒体３０に対するデータの書き込みや、記録媒体３０からのデータの読み込みを行う。記録媒体３０は、半導体メモリを内蔵したメモリカード、またはハードディスクドライブなどで構成される。
【００１７】
操作部材１８は、電子カメラ１の各種ボタンやスイッチ類を含み、レリーズボタンの押下操作、モード切替スイッチの切換操作など、各操作部材の操作内容に応じた操作信号をメインＣＰＵ１１へ出力する。
【００１８】
＜撮影モード＞
電子カメラ１は、レリーズボタンの押下操作に応じて１コマずつ撮影画像を取得して記録媒体３０へ記録する通常の静止画撮影モードと、いわゆる動画像を所定のフレームレート（たとえば６０フレーム／毎秒）で取得して記録媒体３０へ記録する録画モードと、高速シャッタ秒時（たとえば数百分の１秒）の静止画像を上記フレームレート（本例では６０コマ／毎秒）で連写撮影して複数コマの撮影画像を取得し、記録媒体３０へ記録する高速連写モードとを有する。各撮影モードは、操作部材１８からの操作信号に応じて切替え可能に構成されている。
【００１９】
＜再生モード＞
電子カメラ１は、静止画撮影モードにおいて記録された画像を各コマごとに液晶モニタ１９に再生表示する静止画の再生モードと、録画モードにおいて記録された動画像を上記フレームレート（本例では６０フレーム／毎秒）で液晶モニタ１９に再生表示する動画の再生モードとに加えて、上記高速連写モードにおいて記録した複数コマの静止画像（高速連写画像と呼ぶ）を用いて液晶モニタ１９に再生表示する２種類の再生モード（第１再生モードおよび第２再生モード）を有する。
【００２０】
第１再生モードは、高速連写モードにおいて記録した高速連写画像を構成する各コマの画像を静止画として液晶モニタ１９に再生表示する再生モードである。第２再生モードは、高速連写モードにおいて記録した高速連写画像を所定のフレームレート（本例では６０コマ／毎秒）で動画として液晶モニタ１９に連続再生表示する再生モードである。第２再生モードでは、高速連写によって複数の画像の取得に要した総時間と、該複数の画像を連続再生表示する再生総時間とを略等しくする。具体的には、６０コマ／毎秒で１０秒間かけて取得した６００コマの高速連写画像を６０コマ／毎秒で１０秒間の動画として連続再生表示する。なお、取得に要する総時間と再生総時間とは、必ずしも正確に一致させる必要はない。各再生モードは、操作部材１８からの操作信号に応じて切替え可能に構成されている。
【００２１】
本実施形態は、上記高速連写画像を動画として再生する第２再生モードに特徴を有するので、以下第２再生モードを中心に説明する。
【００２２】
＜高速連写画像＞
第２再生モードにおいて電子カメラ１が再生表示する高速連写画像について説明する。図２は、電子カメラ１が高速連写モードにおいて高速連写画像を取得するタイミング（上段）を例示する図である。比較のため、電子カメラ１が録画モードにおいて動画を取得するタイミング（下段）も合わせて例示している。図２の上段において、高速連写モードの電子カメラ１は、レリーズボタンが押下操作されるとフレーム間隔Ｔ（たとえば１／６０秒）ごとに連写撮影を開始し、１コマ目、２コマ目、…の静止画像を複数コマ取得する。電子カメラ１は、レリーズボタン押下操作が解除されると連写撮影を終了する。高速連写モードでは、後述する録画モード時の露光時間ｔ２に比べて短い露光時間ｔ１（たとえば１／３６０秒）とするように、各コマの露光時間が制御される。なお、露光時間ｔ１は、フレーム間隔Ｔより短ければよいが、Ｔの１／２以下であることが好ましい。
【００２３】
図２の下段において、録画モードの電子カメラ１は、レリーズボタンが押下操作されるとフレーム間隔Ｔごとに録画撮影を開始し、１フレーム目、２フレーム目、…からなる動画像を取得する。電子カメラ１は、再度レリーズボタンが押下操作されると録画を終了する。録画モードでは、高速連写モード時の露光時間ｔ１に比べて長い露光時間ｔ２（フレーム間隔Ｔと略等しい）とするように各フレームの露光時間が制御される。
【００２４】
このように、高速連写画像を構成する各コマの露光時間ｔ１は、録画モード時の露光時間ｔ２に比べて十分短い（ｔ１《ｔ２）。なお、本説明では高速連写画像を取得する際のフレーム間隔と、録画モードにおけるフレーム間隔とが一致する場合を例示するが、両フレーム間隔は必ずしも一致させる必要はない。
【００２５】
＜第２再生モードにおける動画再生＞
第２再生モードに切り替えられた電子カメラ１は、図２の上段に例示したタイミングで取得した複数コマの高速連写画像を、液晶モニタ１９に動画として再生表示する。図３は、は、第２再生モードの電子カメラ１が高速連写画像を再生表示（滑らか再生）するタイミングを例示する図である。
【００２６】
図３において、電子カメラ１は、操作部材１８を構成する再生ボタンが押下操作されると再生表示を開始する。電子カメラ１は、記録媒体３０から読み込んだ１コマ目の画像データに基づいて１番目のフレーム画像信号を生成し、記録媒体３０から読み込んだ２コマ目の画像データに基づいて２番目のフレーム画像信号を生成する。各フレーム画像信号は、時間(Ｔ−ｔ１)において再生画像の信号レベルを徐々に高めるようにゲインアップされ（フェードイン）、時間ｔ１だけ信号レベルを維持し、その後の時間(Ｔ−ｔ１)において再生画像の信号レベルを徐々に下げるようにゲインダウンされる（フェードアウト）。そして、Ｎ番目のフレーム画像信号のフェードアウト区間と、(Ｎ＋１)番目のフレーム画像信号のフェードイン区間とを時間(Ｔ−ｔ１)だけ重複するように合成して表示用のフレーム画像を生成する。
【００２７】
つまり、表示用のフレーム画像のＮフレームにおいて、時間ｔ１だけＮ番目のフレーム画像信号による画像をもとの信号レベルで単独表示（非重畳表示）し、Ｎ番目のフレーム画像信号と(Ｎ＋１)番目のフレーム画像信号とを信号レベルを調節した上で重ね合わせた画像を時間(Ｔ−ｔ１)だけ重畳表示する。図３において表示用のフレーム画像を示す帯が黒い区間は非重畳表示区間を表し、フレーム画像を示す帯がグレーの区間は重畳表示区間を表す。
【００２８】
上述した再生表示を行うため、表示画像作成回路１４は図４に例示する構成を有する。図４において、表示画像作成回路１４は、フレームメモリ１４１〜１４４と、Ｄ／Ａコンバータ１５１〜１５４と、増幅回路１６１〜１６４と、制御部１７１と、加算器１８１〜１８３とを含む。
【００２９】
フレームメモリ１４１には、たとえばＮコマ目の画像データを格納する。フレームメモリ１４２には、たとえば(Ｎ＋１)コマ目の画像データを格納する。フレームメモリ１４３には、たとえば(Ｎ−２)コマ目の画像データを格納する。フレームメモリ１４４には、たとえば(Ｎ−１)コマ目の画像データを格納する。各フレームメモリ１４１〜１４４は、少なくとも時間(２×Ｔ)の間、格納された画像データを保持する。コマ数Ｎの値は、以下に説明する処理を行うと＋４され、同様の処理が繰り返される。
【００３０】
＜Ｎコマに対する制御＞
図５は、図３に例示した再生タイミングの一部を拡大した図である。制御部１７１（図４）は、フレームメモリ１４１に格納されているＮコマ目の画像データを時刻ｔ０において読み出す。フレームメモリ１４１から読み出された画像データは、Ｄ／Ａコンバータ１５１によってアナログ画像信号に変換した後に増幅回路１６１へ入力される。増幅回路１６１は、１フレーム分のアナログ画像信号に対して共通のゲインで増幅を行う。
【００３１】
制御部１７１は、たとえば、増幅回路１６１のゲインを時間ｔ１ごとに切り替える。フレーム間隔Ｔを１／６０秒、ｔ１を１／３６０秒とする場合は、時間(２×Ｔ)の間にゲインを１２回切り替えることになる。制御部１７１は、１２回のゲイン切り替えのうち、１回目（時刻ｔ０）におけるゲインを０にする。
【００３２】
制御部１７１は、Ｎコマ目の画像データによる再生画像の信号レベルを徐々に高くするように、２回目（時刻ｔａ）〜７回目（時刻ｔｆ）のゲイン切り替えにおいて段階的に増幅回路１６１のゲインアップを行う。７回目（時刻ｔｆ）のゲイン切り替えによって増幅回路１６１のゲインを１．０（最大ゲインに対応）とする。
【００３３】
この後、制御部１７１は、Ｎコマ目の画像データによる再生画像の信号レベルを徐々に低くするように、８回目（時刻ｔｇ）〜１２回目（時刻ｔｋ）のゲイン切り替えにおいて段階的に増幅回路１６１のゲインダウンを行う。１２回目（時刻ｔｋ）のゲイン切り替えによって増幅回路１６１のゲインを最大時の１／６とする。
【００３４】
＜(Ｎ＋１)コマに対する制御＞
同様に、制御部１７１（図４）は、フレームメモリ１４２に格納されている(Ｎ＋１)コマ目の画像データを時刻ｔｆにおいて読み出す。フレームメモリ１４２から読み出された画像データは、Ｄ／Ａコンバータ１５２によってアナログ画像信号に変換した後に増幅回路１６２へ入力される。増幅回路１６２は、１フレーム分のアナログ画像信号に対して共通のゲインで増幅を行う。
【００３５】
制御部１７１は、増幅回路１６２のゲインを時間ｔ１ごとに切り替える。増幅回路１６１の場合と同様に、時間(２×Ｔ)の間にゲインを１２回切り替えることになる。制御部１７１は、１２回のゲイン切り替えのうち、１回目（時刻ｔｆ）におけるゲインを０にする。
【００３６】
制御部１７１は、(Ｎ＋１)コマ目の画像データによる再生画像の信号レベルを徐々に高くするように、段階的に増幅回路１６２のゲインアップを行う。７回目（時刻ｔ０１）のゲイン切り替えによって増幅回路１６２のゲインを１．０（最大ゲインに対応）とする。
【００３７】
この後、制御部１７１は、(Ｎ＋１)コマ目の画像データによる再生画像の信号レベルを徐々に低くするように、８回目〜１２回目のゲイン切り替えにおいて段階的に増幅回路１６２のゲインダウンを行う。１２回目のゲイン切り替えによって増幅回路１６２のゲインを最大時の１／６とする。
【００３８】
加算器１８１は、増幅回路１６１および増幅回路１６２から出力されるアナログ画像信号を加算する。加算後の画像信号は、加算器１８３を介して表示用信号として出力される。なお、増幅回路１６１および増幅回路１６２のゲインは、両者が同じゲインに設定されている場合に同等になるようにあらかじめ調節されている。なお、加算器はデジタル信号処理によって構成してもよい。
【００３９】
＜(Ｎ−２)コマに対する制御＞
制御部１７１は、増幅回路１６１および１６２の場合と同様の制御を増幅回路１６３および１６４に対して行う。制御部１７１は、フレームメモリ１４３に格納されている(Ｎ−２)コマ目の画像データを読み出し、該画像データをＤ／Ａコンバータ１５３によってアナログ画像信号に変換した後に増幅回路１６３へ入力する。増幅回路１６３は、１フレーム分のアナログ画像信号に対して共通のゲインで増幅を行う。
【００４０】
制御部１７１は、増幅回路１６３のゲインを時間ｔ１ごとに切り替える。この場合も、時間(２×Ｔ)の間にゲインを１２回切り替えることになる。制御部１７１は、１２回のゲイン切り替えのうち、１回目におけるゲインを０にする。そして、(Ｎ−２)コマ目の画像データによる再生画像の信号レベルを徐々に高くするように、２回目〜７回目のゲイン切り替えにおいて段階的に増幅回路１６３のゲインアップを行う。７回目のゲイン切り替えによって増幅回路１６３のゲインを１．０（最大ゲインに対応）とする。
【００４１】
この後、制御部１７１は、(Ｎ−１)コマ目の画像データによる再生画像の信号レベルを徐々に低くするように、８回目〜１２回目のゲイン切り替えにおいて段階的に増幅回路１６３のゲインダウンを行う。１２回目のゲイン切り替えによって増幅回路１６３のゲインを最大ゲインの１／６とする。
【００４２】
＜(Ｎ−１)コマに対する制御＞
制御部１７１は、フレームメモリ１４４に格納されている(Ｎ−１)コマ目の画像データを読み出し、該画像データをＤ／Ａコンバータ１５４によってアナログ画像信号に変換した後に増幅回路１６４へ入力する。増幅回路１６４は、１フレーム分のアナログ画像信号に対して共通のゲインで増幅を行う。
【００４３】
制御部１７１は、増幅回路１６４のゲインを時間ｔ１ごとに切り替える。増幅回路１６１の場合と同様に、時間(２×Ｔ)の間にゲインを１２回切り替えることになる。制御部１７１は、１２回のゲイン切り替えのうち、１回目におけるゲインを０にする。
【００４４】
制御部１７１は、(Ｎ−１)コマ目の画像データによる再生画像の信号レベルを徐々に高くするように、段階的に増幅回路１６４のゲインアップを行う。７回目（時刻ｔ０）のゲイン切り替えによって、増幅回路１６４のゲインを１．０（最大ゲインに対応）とする。
【００４５】
この後、制御部１７１は、(Ｎ−１)コマ目の画像データによる再生画像の信号レベルを徐々に低くするように、８回目（時刻ｔａ）〜１２回目（時刻ｔｅ）のゲイン切り替えにおいて段階的に増幅回路１６４のゲインダウンを行う。１２回目のゲイン切り替えによって増幅回路１６４のゲインを最大ゲインの１／６とする。
【００４６】
加算器１８２は、増幅回路１６３および増幅回路１６４から出力されるアナログ画像信号を加算する。加算後の画像信号は、加算器１８３を介して表示用信号として出力される。なお、増幅回路１６３および増幅回路１６４のゲイン、増幅回路１６１および増幅回路１６２のゲインは、同じゲインに設定されている場合に同等になるようにあらかじめ調節されている。
【００４７】
以上説明した制御により、表示用のフレーム画像のＮフレームの再生動画像は、時間ｔ１の当該フレームの非重複画像と、時間(Ｔ−ｔ１)の重複画像であって、当該フレーム画像のフェードアウト区間および次フレーム画像のフェードイン区間を重ね合わせた画像とによって構成される。重ね合わせたフレーム画像の信号レベルは、元フレーム画像である２つの画像の平均値となるようにゲインを制御する。
【００４８】
電子カメラ１は、操作部材１８を構成する停止ボタンが押下操作されると再生表示を停止する。具体的には、停止操作された時点において表示中のフレーム画像のために重ね合わせた２つのフレーム画像信号のうち、ゲインをより高く設定している方の画像信号を選び、その画像信号を増幅するゲインを１．０にするとともに、ゲインを低く設定している方の画像信号を増幅するゲインを０にする。これにより、ゲインを１．０にしたフレーム画像信号による画像のみを非重複表示させて動画再生表示を停止する。
【００４９】
なお、停止操作された時点において表示中のフレーム画像のために重ね合わせた２つのフレーム画像信号のゲインが同じ場合には、表示中のフレーム画像のために重ね合わせた２つのフレーム画像信号のうち、後のフレームの画像信号を選び、その画像信号を増幅するゲインを１．０にするとともに、前のフレームの画像信号を増幅するゲインを０にする。
【００５０】
本実施形態によれば、次の作用効果が得られる。
（１）高速連写画像を動画再生する場合のＮフレーム目を、Ｎコマ目の画像データに基づくフレーム画像信号による画像のみを非重複表示する区間ｔ１と、Ｎコマ目の画像データに基づくフレーム画像信号、および次コマの画像データに基づくフレーム画像信号を重ね合わせ合成した画像を重複表示する区間(Ｔ−ｔ１)とで構成した。高速連写時の非露光区間(Ｔ−ｔ１)を補間するように表示することにより、不連続性（ギクシャク感またはパラパラ感とも呼ばれる）を抑えて滑らかに動画再生できる。実際に取得した画像データに基づくフレーム画像信号を重ね合わせ合成するので、従来技術と異なり、移動する被写体と異なる位置に被写体像が生成されることがない。さらに、被写体抽出処理や予測処理も不要であるので処理の負担が軽い。
【００５１】
（２）重複表示する区間(Ｔ−ｔ１)では、双方のフレーム画像信号に対するゲインの和を１．０にするように合成したので、非重複表示する区間ｔ１においてＮコマ目に対応するフレーム画像信号に対するゲイン（１．０）と同等になる。これにより、再生画像の輝度変動（フリッカー）が抑えられ、観察者が違和感を感じないように再生できる。
【００５２】
（３）重複表示する区間(Ｔ−ｔ１)では、前のフレーム画像信号に対するゲインを徐々に下げてフェードアウトするとともに、後のフレーム画像信号に対するゲインを徐々に上げてフェードインするようにした。これにより、滑らかな動画再生に適した補間表示を行うことができる。
【００５３】
（４）動画再生を停止する場合には、停止操作された時点において表示中のフレーム画像のために重ね合わせた２つのフレーム画像信号のうち、ゲインをより高く設定している方のフレーム画像信号による画像のみを非重複表示させる静止画再生表示を行う。これにより、観察者が違和感を感じないように動画再生表示を停止した上で、静止画再生表示へ移行できる。
【００５４】
（変形例１）
上述した説明では、各増幅回路のゲインを時間(２×Ｔ)の間に１２回切り替える例を説明した。ゲイン切り替えの回数は１２回に限らず増加させてもよい。ゲイン切り替え回数を増やすことにより、１回当たりのゲイン切り替えステップを小さく抑え、ゲイン制御波形を細かく制御することができる。
【００５５】
（変形例２）
ゲイン制御波形を図３の場合と異ならせてもよい。図６は、変形例２の電子カメラ１が高速連写画像を再生表示（滑らか再生）するタイミングを例示する図である。
【００５６】
図６において、電子カメラ１は、操作部材１８を構成する再生ボタンが押下操作されると再生表示を開始する。電子カメラ１は、記録媒体３０から読み込んだ１コマ目の画像データに基づいて１番目のフレーム画像信号を生成し、記録媒体３０から読み込んだ２コマ目の画像データに基づいて２番目のフレーム画像信号を生成する。各フレーム画像信号は、たとえば時間(Ｔ／２)において再生画像の信号レベルを徐々に高めるようにゲインアップされ（フェードイン）、その後の時間(Ｔ／２)において再生画像の信号レベルを徐々に下げるようにゲインダウンされる（フェードアウト）。そして、Ｎ番目のフレーム画像信号のフェードアウト区間と、(Ｎ＋１)番目のフレーム画像信号のフェードイン区間とを時間(Ｔ／２)だけ重複するように合成して表示用のフレーム画像を生成する。
【００５７】
つまり、表示用のフレーム画像のＮフレームにおいて、前半を(Ｎ−１)番目のフレーム画像信号とＮ番目のフレーム画像信号とを信号レベル調節した上で重ね合わせた画像を重畳表示し、後半をＮ番目のフレーム画像信号と(Ｎ＋１)番目のフレーム画像信号とを信号レベル調節した上で重ね合わせた画像を重畳表示する。図６において表示用のフレーム画像を示す帯は、全域が重畳表示区間を表す。
【００５８】
図４に例示した表示画像作成回路１４の制御部１７１は、図６に示すゲイン制御波形に応じたゲイン切り替えを増幅回路１６１〜１６４に行わせることにより、変形例２の表示用のフレーム画像を生成させる。
【００５９】
（変形例３）
ゲイン制御波形は、一次関数波形に限られない。図７は、変形例３の電子カメラ１が高速連写画像を再生表示（滑らか再生）するタイミングを例示する図である。
【００６０】
図７において、電子カメラ１は、操作部材１８を構成する再生ボタンが押下操作されると再生表示を開始する。電子カメラ１は、記録媒体３０から読み込んだ１コマ目の画像データに基づいて１番目のフレーム画像信号を生成し、記録媒体３０から読み込んだ２コマ目の画像データに基づいて２番目のフレーム画像信号を生成する。各フレーム画像信号は、たとえば時間(Ｔ／２)において再生画像の信号レベルを二次関数的に高めるようにゲインアップされ、時間(Ｔ／２)だけ信号レベルを維持し、その後の時間(Ｔ／２)において再生画像の信号レベルを二次関数的に下げるようにゲインダウンされる。そして、Ｎ番目のフレーム画像信号のゲインダウン区間と、(Ｎ＋１)番目のフレーム画像信号のゲインアップ区間とを時間(Ｔ／２)だけ重複するように合成して表示用のフレーム画像を生成する。
【００６１】
つまり、表示用のフレーム画像のＮフレームにおいて、前半をＮ番目のフレーム画像信号による画像のみを非重複表示し、後半をＮ番目のフレーム画像信号と(Ｎ＋１)番目のフレーム画像信号とを信号レベル調節した上で重ね合わせた画像を重畳表示する。図７において表示用のフレーム画像を示す帯は、黒い区間が非重畳表示区間を表し、グレーの区間が重畳表示区間を表す。
【００６２】
図４に例示した表示画像作成回路１４の制御部１７１は、図７に示すゲイン制御波形に応じたゲイン切り替えを増幅回路１６１〜１６４に行わせることにより、変形例３の表示用のフレーム画像を生成させる。
【００６３】
（変形例４）
上述した説明では、高速連写画像を構成する各コマの画像の明るさが揃っている場合を説明した。各コマ間で画像の明るさが異なる場合には、増幅回路１６１〜１６４のうち、当該コマに対応するフレーム画像信号を増幅する増幅回路のゲインを個別に調節するように構成してよい。これにより、再生画像の輝度が変動して観察者に違和感を与えることを防止できる。
【００６４】
（変形例５）
電子カメラ１が高速連写画像を用いて動画再生する例を説明したが、動画再生プログラムをコンピュータ装置に実行させることにより、画像再生装置を構成してもよい。動画再生プログラムをパーソナルコンピュータに取込んで使用する場合には、パーソナルコンピュータのデータストレージ装置にプログラムをローディングした上で、当該プログラムを実行させることによって画像再生装置として使用する。
【００６５】
パーソナルコンピュータに対するプログラムのローディングは、プログラムを格納したＣＤ−ＲＯＭなどの記録媒体パーソナルコンピュータにセットして行ってもよいし、ネットワークなどの通信回線を経由する方法でパーソナルコンピュータへローディングしてもよい。動画再生プログラムは、記録媒体や通信回線を介する提供など、種々の形態のコンピュータプログラム製品として供給することができる。
【００６６】
以上の説明はあくまで一例であり、上記の実施形態の構成に何ら限定されるものではない。
【符号の説明】
【００６７】
１…電子カメラ
１１…メインＣＰＵ
１４…表示画像作成回路
１５…バッファメモリ
１６…フラッシュメモリ
１９…液晶モニタ
２０…映像出力回路
【図１】
2010258851.tif 000003
【図２】
2010258851.tif 000004
【図３】
2010258851.tif 000005
【図４】
2010258851.tif 000006
【図５】
2010258851.tif 000007
【図６】
2010258851.tif 000008
【図７】
2010258851.tif 000009